(57)【要約】【課題】過去の患者情報を容易に閲覧可能であり、かつ拡張性に優れた内視鏡装置を提供する。【解決手段】内視鏡撮像手段３０で撮像された内視鏡映像は、映像処理手段３１において処理され、オーバレイ手段３２に送られる。また、記憶手段３５あるいは、通信手段３６を介して接続された外部装置から得られた患者の情報等は、ハイパーテキスト取得手段３４において取得され、ハイパーテキスト解読手段により解読される。画面展開手段３８により画面が組み立てられ、オーバレイ制御手段３９がオーバレイ手段３２を制御して、内視鏡映像と、患者等の情報の表示を画面上で重ね合わせて表示する。重ね合わせの際に、上になる表示を半透明とすると、下の画像などを見ながら上の情報も診ることができる。【選択図】        図３
2005013409.tif 000002
【特許請求の範囲】
【請求項１】
内視鏡撮像手段と、
該内視鏡撮像手段からの信号に対する信号処理を行う映像処理手段と、
制御手段とを有し、
該制御手段は、
ハイパーテキスト形式の記述言語ファイルを取得する取得手段と、
該記述言語ファイルを解読する解読手段と、
解読した記述言語を画面表示可能な形式に展開する展開手段と、
展開された記述言語を表示する表示制御手段と
を備えることを特徴とする、内視鏡装置。
【請求項２】
内視鏡撮像手段と、
該内視鏡撮像手段からの信号に対する信号処理を行う映像処理手段と、
該映像処理手段の出力信号に対し画像または文字情報を重畳するオーバレイ手段と、
少なくとも該オーバレイ手段を制御する制御手段とを有し、
該制御手段は、
ハイパーテキスト形式の記述言語ファイルを取得する取得手段と、
該記述言語ファイルを解読する解読手段と、
解読した記述言語を画面表示可能な形式に展開する展開手段と、
該オーバレイ手段を制御して展開された記述言語を表示する表示制御手段と
を備えることを特徴とする、内視鏡装置。
【請求項３】
該取得手段は、ネットワークに接続するための手段である
ことを特徴とする、請求項１または請求項２に記載の内視鏡装置。
【請求項４】
該取得手段は、着脱自在な記憶媒体を接続するための手段である
ことを特徴とする、請求項１または請求項２に記載の内視鏡装置。
【請求項５】
該映像処理手段および該オーバレイ手段はそれぞれ、
少なくとも解像度の異なる第１および第２の画面に対応する出力を有する
ことを特徴とする、請求項１または請求項２に記載の内視鏡装置。
【請求項６】
該展開手段は、少なくとも
解読された記述言語を第１の画面に表示可能な形式に展開する第１の展開手段と、
解読された記述言語を第２の画面に表示可能な形式に展開する第２の展開手段とから成ることを特徴とする、請求項５に記載の内視鏡装置。
【請求項７】
該制御手段において、
第１の展開手段と第２の展開手段で異なる記述言語ファイルを使用する
ことを特徴とする、請求項６に記載の内視鏡装置。
【請求項８】
該制御手段において、
第１の展開手段と第２の展開手段で異なるフォントデータを使用する
ことを特徴とする、請求項６に記載の内視鏡装置。
【請求項９】
画面に対して情報を入力するための情報入力手段を備え、
該制御手段は、
該情報入力手段からの入力に対応して、入力が有効となる画面を選択する手段を備える
ことを特徴とする、請求項５に記載の内視鏡装置。
【請求項１０】
該制御手段は、
アプレットの実行および表示手段を備える
ことを特徴とする、請求項１または請求項２に記載の内視鏡装置。
【請求項１１】
該制御手段は、
ハイパーテキストの記述言語から映像表示に関する制御パラメータを抽出する手段と、
抽出した制御パラメータに基づき該映像処理を制御する手段とを備える
ことを特徴とする、請求項１または請求項２に記載の内視鏡装置。
【請求項１２】
内視鏡撮像手段と、
該内視鏡撮像手段からの信号に対する信号処理を行う映像処理手段と、
該内視鏡撮像手段で得られた画像に関連する情報を入力する情報入力手段と、
記憶手段と、
少なくとも該情報入力手段を制御する制御手段とを有し、
該制御手段は、
該映像処理手段の出力から画像ファイルを生成し該記憶手段に格納する手段と、
該情報入力手段からの情報および該画像ファイルへのリンク情報を含むハイパーテキスト形式の記述言語ファイルを生成し該記憶手段に格納する手段と
を備えることを特徴とする内視鏡装置。
【請求項１３】
該記憶手段は、着脱可能な記憶媒体であることを特徴とする、請求項１２に記載の内視鏡装置。
【請求項１４】
内視鏡撮像手段と、
該内視鏡撮像手段からの信号に対する信号処理を行う映像処理手段と、
該内視鏡撮像手段で得られた画像に関連する情報を入力する情報入力手段と、
ネットワークに接続するための接続手段と、
少なくとも該情報入力手段および該接続手段を制御する制御手段とを有し、
該制御手段は、
該映像処理手段の出力から画像ファイルを生成しネットワーク上の記憶領域に格納する手段と、
該情報入力手段からの情報および該画像ファイルへのリンク情報を含むハイパーテキスト形式の記述言語ファイルを生成しネットワーク上の記憶領域に格納する手段と
を備えることを特徴とする内視鏡装置。
【請求項１５】
内視鏡撮像手段と、
該内視鏡撮像手段からの信号に対する信号処理を行う映像処理手段と、
ネットワークに接続するための接続手段と、
少なくとも該接続手段を制御する制御手段とを有し、
該制御手段は、
該映像処理手段の出力から画像ファイルを生成する手段と、
ネットワーク上のクライアントに対して該画像ファイルを送信するためのファイルサーバー手段と
を備えることを特徴とする内視鏡装置。
【請求項１６】
内視鏡撮像手段と、
該内視鏡撮像手段からの信号に対する信号処理を行う映像処理手段と、
ネットワークに接続するための接続手段と、
少なくとも該接続手段を制御する制御手段とを有し、
該制御手段は、
少なくとも該制御手段の内部情報を含むハイパーテキスト形式の記述言語ファイルを生成する手段と、
ネットワーク上のクライアントに対して該記述言語ファイルを送信するためのＷｅｂサーバー手段と
を備えることを特徴とする内視鏡装置。
【請求項１７】
内視鏡撮像手段と、
該内視鏡撮像手段からの信号に対する信号処理を行う映像処理手段と、
該内視鏡撮像手段で得られた画像に関連する情報を入力する情報入力手段と、
記憶手段と、
ネットワークに接続するための接続手段と、
少なくとも該記憶手段および接続手段を制御する制御手段とを有し、
該制御手段は、
該映像処理手段の出力から画像ファイルを生成し該記憶手段に格納する手段と、
該情報入力手段からの情報および該画像ファイルへのリンク情報を含むハイパーテキスト形式の記述言語ファイルを生成し該記憶手段に格納する手段と
ネットワーク上のクライアントに対して該記述言語ファイルを送信するためのＷｅｂサーバー手段と
を備えることを特徴とする内視鏡装置。
【請求項１８】
請求項１〜１７のいずれか１項に記載の内視鏡装置を備えた内視鏡システム。
【発明の詳細な説明】
【０００１】
【発明の属する技術分野】
本発明は、ハイパーテキスト形式による情報表示および記録機能を備えた内視鏡装置または内視鏡システムに関する。
【０００２】
【従来の技術】
近年、電荷結合素子（ＣＣＤ）等の撮像素子を用いた内視鏡装置について種々の提案がある。
この内視鏡装置は、細長の挿入部内に被写体を撮像するための撮像素子および照明光学系を設けた内視鏡本体と、前記固体撮像素子に駆動信号を供給すると共に、前記固体撮像素子からの撮像信号を取り込み、映像信号を処理するビデオプロセッサ部と、前記内視鏡本体の照明光学系を介して被写体を照明するための光源部とを備え、このビデオプロセッサ部からの映像信号をモニターに表示させるようにしたものである。
【０００３】
また、被写体から得られた映像、および患者名など映像に関連する情報を記録するためのファイリング装置、印刷装置なども種々提案されており、これらと内視鏡装置を組み合わせた内視鏡システムとして普及している。
図１は、従来の内視鏡システムの一例を示す図である。
【０００４】
このシステム１は、内視鏡本体４、ビデオプロセッサ６、光源装置５、モニター７、キーボード９からなる内視鏡装置と、ビデオプリンター８、ファイリング装置１０から構成されている。
図２は、図１の内視鏡システムの内部構成を示す図である。
【０００５】
図２において、光源装置２０のランプ２０−１により発せられた光は、ファイバーバンドルにより構成された内視鏡本体２１のライトガイド２１−１および先端部の照明用レンズ２１−２を介して体腔内の被写体を照明する。被写体の画像は、内視鏡本体先端部の対物レンズ２１−３を介して撮像素子２１−４のＣＣＤ面上に結像する。ＣＣＤ２１−４は、ビデオプロセッサ２２の駆動回路２２−１により駆動され、画像信号を発生する。この画像信号は、内視鏡先端部のアンプ２１−５により増幅された後、ビデオプロセッサ２２へと導かれる。
【０００６】
ビデオプロセッサ２２では、ＣＣＤ２１−４から得られた画像信号をＡ／Ｄ変換回路２２−２によりデジタル信号に変換し、前段映像処理回路２２−３により、色分離などの前段映像処理を行った後、アイソレーション回路２２−４により絶縁した上で後段の映像処理回路２２−５へと送る。後段映像処理回路２２−５では、γ変換、輪郭強調や拡大縮小などの映像処理を行い、さらにＣＰＵ回路２２−６からの文字情報を重畳して出力する。出力信号はＤ／Ａ変換回路２２−７によりアナログ化される。
【０００７】
画素数など駆動条件の異なる複数のＣＣＤを駆動するため、内視鏡本体内にはメモリー素子などを用いたＣＣＤの識別情報２１−６があり、これにより駆動条件や後段映像処理の処理パラメータを変更している。
被写体の照明状態を最適に保つため、光源装置２０内には絞り羽根等による調光器２０−３が設けられており、ビデオプロセッサ２２内の調光制御回路２２−３０および光源装置２０内の調光制御回路２０−２により照明光の強度が調整される。
【０００８】
ビデオプロセッサ２２には、ビデオプリンタ２３や画像ファイル装置２４などと接続するためのコネクタ２２−９が設けられており、内視鏡画像はセレクタ２２−８により外部からの映像入力と切り替えた後に観察モニター２５へと出力される。
【０００９】
ＣＰＵ回路２２−６はビデオプロセッサ２２内部の制御および外部機器との通信を行う。ユーザーはキーボード２６からデータ入力を行うことにより、患者名などの情報を内視鏡画像に付加することが出来る。また、画像ファイル装置２４やビデオプリンタ２３など外部機器と通信を行い、画像およびデータをこれらの機器で記録することが出来る。記録の指示は、内視鏡本体２１に設けられたスイッチ２１−７またはキーボード２６により行われる。
【００１０】
ビデオプロセッサ２２からの映像信号を受信するため、画像ファイル装置２４のコンピュータにはビデオ入出力ボード２７が備えられている。
特許文献１には、内視鏡システムにおいて、内視鏡装置の映像と画像ファイル装置からの映像を、必要に応じて切り替えて表示する技術が開示されている。
【００１１】
【特許文献１】
特許第２５９８５６０号公報
【００１２】
【発明が解決しようとする課題】
以上述べた従来の内視鏡システムにおいて、画像ファイル装置に保存された過去の患者情報は通常画像ファイル装置のモニターで閲覧可能であるが、これを内視鏡装置の観察モニターでも見たいというニーズがある。
【００１３】
ところが、内視鏡装置の観察モニターは通常ＮＴＳＣ方式などの所謂テレビモニターであり、画像ファイルのコンピュータ用モニターとは解像度など信号形式が異なる。このため、画像ファイル装置にテレビモニター用の映像出力を設け、さらに、内視鏡装置には画像の入出力端子および選択回路を設ける必要があった。
【００１４】
また、患者の検索など、モニターに表示する情報の選択を内視鏡装置から行うために、画像ファイルと内視鏡装置で通信を行い、内視鏡装置のキーボードから入力された情報を画像ファイルに転送する必要があった。この通信は従来ＲＳ−２３２Ｃなどのシリアル通信上に専用のプロトコルを構築することにより行われていたが、これは１対１接続であるため、複数の内視鏡装置が存在する場合には画像ファイルを複数用意するか、１台の画像ファイルに複数の通信用端子を設ける必要があった。
【００１５】
これらは、内視鏡システムのコストアップの要因となっていた。また、専用プロトコルを使用することにより、製品をバージョンアップする場合に互換性を保つのが困難であり、拡張性の点でも問題があった。
また、近年ＮＴＳＣ／ＰＡＬに代表されるテレビ信号の他に、ＨＤＴＶやＸＧＡ／ＳＸＧＡなど種々の映像フォーマットが存在している。内視鏡装置においてこれらの映像フォーマットに対応するためには、それらフォーマット毎に専用の制御プログラムを用意する必要があり、プログラム容量の増大を招いていた。
【００１６】
本発明は、以上の問題点に鑑みてなされたもので、過去の患者情報を容易に閲覧可能であり、かつ拡張性に優れた内視鏡装置を提供することを目的とする。
本発明の別の目的は、画像ファイル装置のビデオ入出力ボードを不要とすることにより、コストダウンを実現することである。
【００１７】
本発明の別の目的は、種々の映像フォーマットの出力に容易に対応可能な内視鏡装置を提供することである。
【００１８】
【課題を解決するための手段】
本発明の請求項１の内視鏡装置は、内視鏡撮像手段と、該内視鏡撮像手段からの信号に対する信号処理を行う映像処理手段と、制御手段とを有し、該制御手段は、ハイパーテキスト形式の記述言語ファイルを取得する取得手段と、該記述言語ファイルを解読する解読手段と、解読した記述言語を画面表示可能な形式に展開する展開手段と、展開された記述言語を表示する表示制御手段とを備えることを特徴とする。
【００１９】
本発明の請求項２の内視鏡装置は、内視鏡撮像手段と、該内視鏡撮像手段からの信号に対する信号処理を行う映像処理手段と、該映像処理手段の出力信号に対し画像または文字情報を重畳するオーバレイ手段と、少なくとも該オーバレイ手段を制御する制御手段とを有し、該制御手段は、ハイパーテキスト形式の記述言語ファイルを取得する取得手段と、該記述言語ファイルを解読する解読手段と、解読した記述言語を画面表示可能な形式に展開する展開手段と、該オーバレイ手段を制御して展開された記述言語を表示する表示制御手段とを備えることを特徴とする。
【００２０】
本発明の請求項１２の内視鏡装置は、内視鏡撮像手段と、該内視鏡撮像手段からの信号に対する信号処理を行う映像処理手段と、該内視鏡撮像手段で得られた画像に関連する情報を入力する情報入力手段と、記憶手段と、少なくとも該情報入力手段を制御する制御手段とを有し、該制御手段は、該映像処理手段の出力から画像ファイルを生成し該記憶手段に格納する手段と、該情報入力手段からの情報および該画像ファイルへのリンク情報を含むハイパーテキスト形式の記述言語ファイルを生成し該記憶手段に格納する手段とを備えることを特徴とする。
【００２１】
本発明の請求項１４の内視鏡装置は、内視鏡撮像手段と、該内視鏡撮像手段からの信号に対する信号処理を行う映像処理手段と、該内視鏡撮像手段で得られた画像に関連する情報を入力する情報入力手段と、ネットワークに接続するための接続手段と、少なくとも該情報入力手段および該接続手段を制御する制御手段とを有し、該制御手段は、該映像処理手段の出力から画像ファイルを生成しネットワーク上の記憶領域に格納する手段と、該情報入力手段からの情報および該画像ファイルへのリンク情報を含むハイパーテキスト形式の記述言語ファイルを生成しネットワーク上の記憶領域に格納する手段とを備えることを特徴とする。
【００２２】
本発明の請求項１５の内視鏡装置は、内視鏡撮像手段と、該内視鏡撮像手段からの信号に対する信号処理を行う映像処理手段と、ネットワークに接続するための接続手段と、少なくとも該接続手段を制御する制御手段とを有し、該制御手段は、該映像処理手段の出力から画像ファイルを生成する手段と、ネットワーク上のクライアントに対して該画像ファイルを送信するためのファイルサーバー手段とを備えることを特徴とする。
【００２３】
本発明の請求項１６の内視鏡装置は、内視鏡撮像手段と、該内視鏡撮像手段からの信号に対する信号処理を行う映像処理手段と、ネットワークに接続するための接続手段と、少なくとも該接続手段を制御する制御手段とを有し、該制御手段は、少なくとも該制御手段の内部情報を含むハイパーテキスト形式の記述言語ファイルを生成する手段と、ネットワーク上のクライアントに対して該記述言語ファイルを送信するためのＷｅｂサーバー手段とを備えることを特徴とする。
【００２４】
本発明の請求項１７の内視鏡装置は、内視鏡撮像手段と、該内視鏡撮像手段からの信号に対する信号処理を行う映像処理手段と、該内視鏡撮像手段で得られた画像に関連する情報を入力する情報入力手段と、記憶手段と、ネットワークに接続するための接続手段と、少なくとも該記憶手段および接続手段を制御する制御手段とを有し、該制御手段は、該映像処理手段の出力から画像ファイルを生成し該記憶手段に格納する手段と、該情報入力手段からの情報および該画像ファイルへのリンク情報を含むハイパーテキスト形式の記述言語ファイルを生成し該記憶手段に格納する手段と、ネットワーク上のクライアントに対して該記述言語ファイルを送信するためのＷｅｂサーバー手段とを備えることを特徴とする。
【００２５】
【発明の実施の形態】
図３及び図４は、本発明による内視鏡装置の概念図を示す図である。
図３において、内視鏡撮像手段３０および映像処理手段３１により得られた内視鏡映像は、オーバレイ手段３２に入力される。
【００２６】
一方、制御手段３３内のハイパーテキスト取得手段３４は、記憶手段３５から、または外部機器から通信手段３６を介してハイパーテキスト情報を取得する。取得されたハイパーテキストからは、ハイパーテキスト解読手段３７によって必要なデータが取り出される。このデータは、画面展開手段３８により画面表示可能な形式へと展開される。
【００２７】
画面に展開されたデータは、オーバレイ制御手段３９に入力され、内視鏡映像と重畳するための制御情報に変換されオーバレイ手段３２へ送られる。
以上の構成により、ハイパーテキスト情報が内視鏡映像と重畳され、観察モニタへ出力される。
【００２８】
図４において、内視鏡撮像手段３０および映像処理手段３１により得られた内視鏡映像は、制御手段３３内の画像ファイル生成手段４１に入力され、画像ファイルへと変換され、記憶手段３５、または通信手段３６を介して外部機器へ記録される。
【００２９】
一方、データ入力手段４０から、または通信手段３６を介して外部機器から入力された情報は、ハイパーテキスト生成手段４２によりハイパーテキスト情報に変換され、記憶手段３５、または通信手段３６を介して外部機器へ記録される。
以上の構成により、画像ファイルとこれに関連する情報を格納したハイパーテキストファイルが記録される。
【００３０】
以下、図面を参照して本発明の一実施の形態について説明する。
図５は、本発明の第１の実施形態における内視鏡装置のビデオプロセッサ部分の内部構成および外部機器との接続を示す図である。
なお、図５において、ビデオプロセッサ以外の内視鏡本体、光源装置、およびプロセッサの内アイソレーション回路より前段（すなわち内視鏡本体寄りの回路で、患者回路と称する）の部分については、従来の内視鏡装置である図２と同様であるため、記載を省略してある。
【００３１】
本実施形態のビデオプロセッサ２２には、従来の解像度即ちＳＤＴＶ（Ｓｔａｎｄａｒｄ  Ｄｅｆｉｎｉｔｉｏｎ  ＴＶ）方式の観察モニター５０と、高解像度即ちＨＤＴＶ（Ｈｉｇｈ  Ｄｅｆｉｎｉｔｉｏｎ  ＴＶ）方式の２種類の観察モニター５１が接続される。
患者回路からアイソレーション回路２２−４を介して伝送された内視鏡映像信号は、後段映像処理回路２２−５にてγ変換などの処理が行われる。その後、ＨＤＴＶ用およびＳＤＴＶ用それぞれの映像処理回路２２−３１、２２−３２及び表示制御回路２２−２１、２２−２２に分配される。映像処理回路２２−３１、２２−３２では、輪郭強調などの処理が行われる。表示制御回路は後述するが、ここでは２種類の観察モニター毎に適した表示を行うための処理が行われ、Ｄ／Ａ変換回路２２−１０にてアナログ信号として観察モニター５０、５１へ出力される。
【００３２】
外部機器の映像を入力するための端子はＡ／Ｄ変換回路２２−１１に接続され、ディジタル化されてＨＤＴＶ／ＳＤＴＶの各映像処理回路へ入力される。
ビデオプロセッサ２２内部の各回路を制御するためのＣＰＵ２２−６には、プログラムおよびデータを一時記憶するためのＲＡＭ２２−１２、プログラムおよびデータを電源ＯＦＦ時も保持するフラッシュメモリ２２−１３、および各回路からの入出力信号を制御するＩ／Ｏポート２２−１４がバス接続される。Ｉ／Ｏポート２２−１４にはパネル２２−１５が接続される。パネル２２−１５には画質調整のスイッチやＬＥＤが設けられており（不図示）、ユーザーからの入力を受け付けたりＬＥＤ表示を制御する。
【００３３】
また、ＣＰＵのバスにはＰＣＩバスブリッジ２２−１５が接続され、ＣＰＵ２２−６のバスを汎用バスであるＰＣＩ（Ｐｅｒｉｐｈｅｒａｌ  Ｃｏｍｐｏｎｅｎｔ  Ｉｎｔｅｒｃｏｎｎｅｃｔ）バスに変換する。ＰＣＩバス上には、ＨＤＴＶ／ＳＤＴＶ用の各表示制御回路、ＵＳＢ（Ｕｎｉｖｅｒｓａｌ  Ｓｅｒｉａｌ  Ｂｕｓ）ホストコントローラ２２−１６、Ｅｔｈｅｒｎｅｔ（登録商標）コントローラ２２−１７、ＰＣカードコントローラ２２−１８、およびＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）２２−１９が接続される。ＵＳＢホストコントローラ２２−１６は外部のＵＳＢ機器を接続するための回路であり、本実施例ではキーボード５２およびマウス５３の所謂ＨＩＤ（Ｈｕｍａｎ  Ｉｎｔｅｒｆａｃｅ  Ｄｅｖｉｃｅ）が接続される。Ｅｔｈｅｒｎｅｔ（登録商標）コントローラ２２−１７は、ビデオプロセッサ２２をＩＥＥＥ８０２．３規格に定められるネットワークに接続するための回路であり、本実施形態では、ハブ５４を介して画像ファイリング装置２４および患者モニタリング装置と接続されている。ＰＣカードコントローラ２２−１８は、ビデオプロセッサ２２に設けられたＰＣカードスロット２２−２０に接続され、このスロットに着脱されるメモリーカードに対する制御を行う。ＵＡＲＴ２２−１９は、外部の機器とシリアル通信を行うための回路であり、図２で示したビデオプリンタ２３などの機器と通信するために使用される。
【００３４】
図６は、図５における表示制御回路の内部構成を示す図である。
図５では、ＨＤＴＶおよびＳＤＴＶ用に２系統の表示制御回路があるが、これらは解像度など画面表示の形式は異なるものの、表示制御回路の構成としてはどちらも同様であるため、図６で代表して示してある。
【００３５】
表示制御部６０は、２系統の映像入力６１、６２と１系統の映像出力６３、およびＣＰＵ回路とのインターフェース６４を有する。映像入力は、内視鏡映像と外部入力映像の２種類に対応する。それぞれの映像入力は、キャプチャ部６５−１、６５−２、リサイズ部６６−１、６６−２、マスク部６７−１、６７−２を経てオーバレイ部６８に入力される。キャプチャ部６５−１、６５−２は、入力された映像を記憶し、ＣＰＵに送信する。リサイズ部６６−１、６６−２は、映像信号を拡大および縮小し、観察モニターに適した大きさに変更して出力する。マスク部６７−１、６７−２は、映像信号の縁部に存在する映像不良部分や、光学系で生ずる暗部などの不要部分を削除する。マスク描画部６９は、ＣＰＵ部に記憶された形状データおよび描画プログラムによりマスク形状を発生しマスク部６７−１、６７−２に出力する。オーバレイ部６８には、２系統の映像信号に加えてグラフィック描画部７０が接続される。グラフィック描画部７０では、ＣＰＵからの制御により、文字や図形などのグラフィックを発生する。オーバレイ部６８で２系統の映像信号とグラフィックが重畳処理され、１系統の映像として出力される。これら各部の詳細については公知であるため説明を省略する。
【００３６】
内視鏡映像および外部入力映像において、単に画面全体を内視鏡映像と外部入力映像で切り替えることも可能であるが、リサイズ部６６−１、６６−２によりそれぞれの映像の大きさを適当に変更し、切り替えを画面内で行うことにより、所謂Ｐｉｃｔｕｒｅ  ｉｎ  Ｐｉｃｔｕｒｅ（子画面）表示を行わせることも可能である。
【００３７】
図７および図８は、上記オーバレイ部の動作概念を説明するための図である。図７は、オーバレイ部に入力される３系統の映像、即ち内視鏡映像、外部入力映像、グラフィックのデータ形式を示している。本実施形態では、それぞれの映像はＲＧＢ各８ｂｉｔの情報を有している。また、グラフィックデータについては、ＲＧＢに加えて透明度を表すα値を含んでいる。図８は、オーバレイ部の演算内容を示している。内視鏡映像または外部入力映像の赤・青・緑の値をそれぞれＲ１・Ｇ１・Ｂ１、グラフィックの赤・青・緑の値をそれぞれＲ２・Ｇ２・Ｂ２、１で正規化したα値をα、出力の赤・青・緑の値をそれぞれＲ・Ｇ・Ｂとするとき、
Ｒ  ＝  Ｒ１×α  ＋  Ｒ２×（１−α）
Ｇ  ＝  Ｇ１×α  ＋  Ｇ２×（１−α）
Ｂ  ＝  Ｂ１×α  ＋  Ｂ２×（１−α）
となり、内視鏡映像または外部入力映像に対し、αで指定される任意の透明度で文字や図形が重畳処理される。
【００３８】
図９は、本実施形態におけるＣＰＵ上で動作するソフトウェアの構成および動作を示す図である。
以後説明するソフトウェアの各要素は、所謂ＯＳ（Ｏｐｅｒａｔｉｎｇ  Ｓｙｓｔｅｍ）８０と呼ばれる基本ソフトウェア上に構築されており、ＯＳが提供するタイミング制御やソフトウェア間通信機能を利用して相互に関連動作する。
【００３９】
まず、ハードウェアに最も近いソフトウェアとして、ドライバ群、即ち通信ドライバ８１、ディスクドライバ８２、グラフィックドライバ８３、キャプチャドライバ８４、およびＩ／Ｏドライバ８５が設けられており、図５に示した各ハードウェアの制御を行う。通信ドライバ８１はＥｔｈｅｒｎｅｔ（登録商標）ドライバ、ＵＡＲＴドライバ、ＵＳＢドライバから成り、それぞれ対応する通信用ハードウェアの制御機能を提供する。ディスクドライバ８２は、ＣＰＵを介してフラッシュメモリーやＲＡＭの読み書き機能を提供する。また、ＰＣカードコントローラを制御し、メモリーカードに対する読み書き機能を提供する。グラフィックドライバ８３およびキャプチャドライバ８４は表示制御回路を制御し、それぞれグラフィック描画機能および画像取り込み機能を提供する。Ｉ／Ｏドライバ８５はＩ／Ｏポートの制御機能を提供する。
【００４０】
各通信手段において所定の通信手順（プロトコル）で通信を行うためにプロトコルスタック８６が実装され、例えばＥｔｈｅｒｎｅｔ（登録商標）上のＴＣＰ／ＩＰプロトコルはプロトコルスタックとＥｔｈｅｒｎｅｔ（登録商標）ドライバが通信することにより実現される。ディスクドライバ８２に対してはファイルシステム８７が実装され、上位層のソフトウェアからＣＰＵバス上のメモリーまたはＰＣカードスロットに着脱されるメモリーカードをファイルとして扱う。グラフィックドライバ８３に対しては描画ＡＰＩ（Ａｐｐｌｉｃａｔｉｏｎ  Ｐｒｏｇｒａｍ  Ｉｎｔｅｒｆａｃｅ）８８が実装され、グラフィック描画機能を提供する。グラフィック描画には文字描画も含まれるため、フォントデータが備えられる。フォントデータの実体は、ＣＰＵバス上のメモリーまたはメモリーカード上に存在する。キーボードやマウスなどのＨＩＤは、本実施形態ではＵＳＢを用いて接続されており、ＨＩＤドライバ８９とＵＳＢ通信ドライバとが連携動作することにより、ＨＩＤからの入力を受け付ける。
【００４１】
次に、ドライバより上位層のソフトウェアの構成および動作について説明する。これらのソフトウェアは、機能毎にプロセスという単位に分割されて実装される。
ＵＩ（Ｕｓｅｒ  Ｉｎｔｅｒｆａｃｅ）プロセス９０は、ＨＩＤおよびパネルからの入力データを処理するプロセスであり、これらを用いてユーザーが入力する情報に応じて関連する他のプロセスへデータ通信を行う。以下にその一例を述べる。
・キーボードから患者データ入力が行われた場合には、後述のデータ管理プロセスにデータを送信する。
・パネルから画質調整のキー入力が行われた場合には、後述の映像制御プロセスにそれを通知する。
・内視鏡本体のスイッチにより画像記録が指示された場合には、後述のデータ管理プロセスにそれを通知する。
【００４２】
ＵＩプロセス９０はまた、描画ＡＰＩ８８を使用して画面表示を制御する。例えば、マウスカーソルの表示を行う。
映像制御プロセス９１は、ＵＩプロセス９０からの情報即ちユーザー入力に基づき、画像の表示状態を制御する。即ち、
・前段および後段映像処理回路を制御し、画質を調整する。
・表示制御回路を制御し、内視鏡画像の表示サイズや外部入力映像の表示状態を切り替える。
【００４３】
ブラウザプロセス９２は、ＵＩプロセス９０からの情報即ちユーザー入力に基づき、ＨＴＭＬ（Ｈｙｐｅｒ  Ｔｅｘｔ  Ｍａｒｋｕｐ  Ｌａｎｇｕａｇｅ）ファイルを取得する（９２−１）。ＨＴＭＬファイルの実体がビデオプロセッサ外のネットワーク上に存在する場合はファイルシステムからプロトコルスタック８６を経由して取得し、プロセッサ内に存在する場合はファイルシステムからディスクドライバ８２を経由して取得する。取得されたＨＴＭＬファイルは、ＨＴＭＬパーサ９２−２により解読される。例えば、
・テキスト（文字）を示すタグが付加された情報は、その属性データと共に描画ＡＰＩ８８へ送信し、文字を画面表示する。
・画像を示すタグが付加された情報は、画像ファイルを取得し、復号化（９２−４）した後に描画ＡＰＩ８８へ送信し、画像を画面表示する（９２−５）。
・Ｊａｖａ（登録商標）（ＴＭ）アプレットを示すタグが付加された情報は、アプレットビューア９２−３により画面表示する。アプレットビューア９２−３内に表示される内容は、Ｊａｖａ（登録商標）（ＴＭ）仮想マシン９３がネットワーク経由で取得したＪａｖａ（登録商標）（ＴＭ）プログラムを実行することにより決定される。
【００４４】
さらに、ＨＴＭＬファイルに内視鏡独自の制御記述を追加することが可能である。例えば、通常ブラウザの表示動作に影響を与えないコメントタグ＜！−−（コメント内容）−−＞を用いて内視鏡画面の表示サイズや表示位置を指定しておき、この情報をＨＴＭＬパーサ９２−２から映像制御プロセス９１へ送信する。これにより、ＨＴＭＬファイルの記述により内視鏡画像の表示形態を変更できる。また、同様にコメントタグを用いて患者情報を指定しておき、この情報をＨＴＭＬパーサ９２−２で取り出して，後述するデータ管理プロセス９４へ送信することにより、患者情報をＨＴＭＬファイルから取得することが可能である。
【００４５】
データ管理プロセス９４は、患者情報など、内視鏡画像に関連する情報の管理を行う。情報としては
・ＵＩプロセス９０から受信した、即ちユーザー入力による情報
・プロトコルスタック８６から受信した、即ち外部からの通信により入力される情報
・ブラウザプロセス９２から受信した、即ちメモリーカードあるいはネットワーク上のＨＴＭＬファイルから取得した情報
が挙げられる。
【００４６】
また、得られた各情報は、プロトコルスタック８６経由で外部へ出力するか、後述する記録プロセス９５へ出力する。
記録プロセス９５は、データ管理プロセス９４からの指示により、画像および関連情報を記録する制御を行う。即ち、
・データ管理プロセス９４から受信した、患者名など画像に関連する情報から、ＨＴＭＬファイルを生成する（９５−１）。また、画像ファイルを指定する場合には、そのファイル名をＨＴＭＬファイル中に埋め込む。
・キャプチャドライバ８４から受信した、画像データに対し、符号化処理９５−２を行って画像ファイルを生成する（９５−３）。画像ファイル名は、ＨＴＭＬファイルで指定する名前と同じとする。
【００４７】
上記各ファイルの記録先としては、メモリーカード上でも良いし、ネットワーク上の記録領域でも良い。例えば、ネットワークに接続している時は外部のサーバーに記録し、接続されていない時はメモリーカード上に記録する様に制御することも可能である。
【００４８】
記録プロセス９５の起動は、ＵＩプロセス９０からデータ管理プロセス９４を経由して指示される。例えば、内視鏡本体のスイッチによりユーザーが記録を指示すると、ＵＩプロセス９０はデータ管理プロセス９４にそれを通知する。データ管理プロセス９４は、その時点で入力されている患者データを記録プロセス９５に送信し、ＨＴＭＬファイルおよび画像ファイルが作成される。
【００４９】
サーバープロセス９６は、ファイルシステム上のファイルを所謂ＦＴＰ（Ｆｉｌｅ  Ｔｒａｎｓｆｅｒ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）、あるいは医療用のＤＩＣＯＭ（Ｄｉｇｉｔａｌ  Ｉｍａｇｉｎｇ  ａｎｄ  ＣＯｍｍｕｎｉｃａｔｉｏｎｓ  ｆｏｒ  Ｍｅｄｉｃｉｎｅ）といった通信手順（プロトコル）に従って外部ネットワークに公開する制御を行う。ＦＴＰの場合には外部のＦＴＰクライアントと、ＨＴＴＰの場合には外部のＷｅｂブラウザと通信を行いファイルを転送する。これにより、外部の画像ファイル装置に画像および関連情報を送信する。また、画像ファイル装置以外の、例えばＷｅｂブラウザを備えたコンピュータに対してファイルを公開することも可能である。
【００５０】
図１０は、本実施形態における、画面表示およびその遷移の一例を示す図である。
本実施形態のビデオプロセッサは、観察画面、検査選択画面、ビューア画面の３つの表示モードを有する。さらに観察画面には、スタンドアロンモード、およびネットワークモードの２種類がある。
【００５１】
各画面に共通の表示として、マウスポインタ１００と、画面を切り替えるためのボタン１０１があり、ユーザーは画面間の遷移を指示することが出来る。
スタンドアロンモードの観察画面は、ネットワークに接続しない状態で内視鏡観察を行うための画面である。
【００５２】
この画面には、内視鏡映像１０２、外部入力映像１０３、患者情報を入力・表示するためのフィールド１０４、メモリーカードの使用状況を表すグラフ１０５、観察者の情報およびコメントを入力するフィールド１０６が表示されている。
内視鏡および外部入力の所謂リアルタイム映像以外のグラフィック表示は、内部のフラッシュメモリーに記憶されたＨＴＭＬファイルに記述されており、ブラウザプロセスによって描画される。患者情報や観察者情報、コメントの各フィールドはＨＴＭＬで記述され、メモリーカードの使用状況を表すグラフはＪａｖａ（登録商標）アプレットとして描画される。
【００５３】
患者情報などのデータ表示については、上述のＨＴＭＬファイルにより、Ｒ、Ｇ，Ｂ、αからなる描画色を指定できる。図７および図８で示した重畳を行うことにより、背景となる内視鏡または外部入力映像に対して透過（半透明）状態で表示を行っている。これにより、データと内視鏡または外部入力映像が重なる場合でも映像を見やすく表示できるという利点を有している。
【００５４】
ネットワークモードの観察画面は、画像ファイル装置と接続した状態で内視鏡観察を行うための画面である。
この画面には、スタンドアロンモードの観察画面で示した表示項目に加えて、画像ファイル装置に記録された内視鏡画像１０７、患者モニタリング装置から受信した心拍数等のモニタリングデータ１０８が表示される。
【００５５】
スタンドアロンモードと同様に、リアルタイム映像以外の表示はブラウザプロセスによって描画される。ただし、表示するためのＨＴＭＬファイルは、外部の画像ファイル装置からネットワーク経由で取得する。上記に示した、スタンドアロンモードに対して追加表示される各要素は、画像ファイル装置から受信するＨＴＭＬファイルに記述されている。画像ファイル装置に記録された内視鏡画像は、ＨＴＭＬファイル中に画像ファイルを記述することにより、ブラウザプロセスにより画像ファイルがダウンロードされ表示される。モニタリングデータの表示は、Ｊａｖａ（登録商標）アプレットとして実装されている。即ち、モニタリング装置との通信を行い取得したデータを、アプレット上にグラフィック表示するものである。
【００５６】
スタンドアロンモードに対して追加の表示を行うため、内視鏡画像の位置および大きさはネットワークモードとスタンドアロンモードで異なっている。これは、既に述べたようにＨＴＭＬファイルに内視鏡用の制御記述を追加することによって実現している。
【００５７】
検査選択画面は、事前に登録された患者データを検索し呼び出すための画面である。
この画面も、実体はＨＴＭＬファイルに記述されている。画面上部にはタブ１０９が表示されており、ユーザーはこのタブを選択することにより、内部（フラッシュメモリまたはメモリーカード）、あるいは外部（画像ファイル装置）から検査選択画面に相当するＨＴＭＬファイルを取得する。観察画面と同様、ＨＴＭＬ表示を透過（半透明）表示とすることが可能で、この場合は検査選択中も内視鏡画像１１０を確認できる利点を有する。
【００５８】
検査日、検査の種類、検査部位、検査者などを指定するフィールド１１１と、これらのフィールドで指定された患者のリストを表示するフィールド１１２で構成される。患者を選択すると、患者データを呼び出した後観察画面に移行する。この機能は、図９に述べたようにブラウザプロセスとデータ管理プロセスが通信することにより実現している。
【００５９】
ビューア画面は、内部（フラッシュメモリまたはメモリーカード）、あるいは外部（画像ファイル装置）に記録された画像を表示するための画面である。検査選択画面と同様、実体はＨＴＭＬファイルに記述されており、画面上部のタブにより内部または外部を選択してＨＴＭＬファイルの取得を行う。
【００６０】
患者名の一覧を表示するフィールド１１３と、患者の詳細データを表示するフィールド１１４、画像の一覧表示１１５、画像情報を表示するフィールド１１６から構成される。
ユーザーが患者名一覧から一人の患者名を指定すると、その患者名に対応するＩＤ、生年月日、年齢、性別データが詳細データフィールドに表示されると同時に、その患者の記録画像を一覧表示する。ユーザーがマウスポインタにより画像の一覧表示１１５から一枚の画像を選択すると、選択画像が太枠表示になり、そのファイル名、容量、記録時間など画像ファイルの情報を画像情報フィールド１１６に表示する。これらの動作は、ＨＴＭＬファイルの記述により実現可能である。
【００６１】
図１１は、図１０のビューア画面を例に、観察モニター毎の表示内容を示す図である。
図５で述べたように、本実施形態のビデオプロセッサでは、複数のモニターを接続可能となっている。このため、画面表示に係るソフトウェアについては、モニター毎に専用のプロセスやドライバを設けている。例えば、ブラウザプロセスには、ＨＤＴＶ用とＳＤＴＶ用の２種類があり、それぞれが独立して動作することにより、モニター毎に適した表示を行っている。表示のために使用するＨＴＭＬファイルも、ＨＤＴＶ用とＳＤＴＶ用に異なるファイルを用意する。
【００６２】
ＨＤＴＶモニターとＳＤＴＶモニターでは解像度が異なるが、表示される文字の大きさを略同一にするために、それぞれのブラウザプロセスでは異なるフォントサイズを使用する。これは、それぞれのＨＴＭＬファイル中に記述することでも実現できるし、ブラウザプロセス毎に使用するフォントを予め指定しておくことでも実現可能である。
【００６３】
また、ＨＴＭＬファイル中で画像サイズを指定することにより、画像一覧表示において、それぞれのモニターの解像度に適した大きさで表示を行う。
さらに、ＨＤＴＶモニターとＳＤＴＶモニターでは画面の縦横比（アスペクト比）も異なる。このため、各フィールドの表示幅や画像一覧の表示個数を変える必要がある。これも、ＨＴＭＬファイルの記述をモニター毎に変えることにより対応している。
【００６４】
単一のキーボードおよびマウスにより２種類の観察モニターを操作するため、ＵＩプロセスおよび描画プロセスは以下に述べる方法で制御を行う。
マウスの操作位置を示すポインタ１００は、２つのモニターで１つだけ表示される。一方のモニターの特定の端面１１７にポインタが達すると、ポインタを他方のモニターに移動する。患者名など、キーボードからの情報入力は、ポインタにより指定されたフィールドに対して行われるため、ポインタにより操作対象となるモニターを指定することが可能となる。なお、この場合、２つのモニターで共通の表示項目については、一方のモニターで入力した値を他方のモニターに反映させることも可能である。
【００６５】
図１２は、メモリーカードのファイル構造を示す図である。
本実施形態のビデオプロセッサにおけるメモリーカードへの記録形式は、所謂デジタルカメラ等で用いられている、ＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠した構造となっている。これにより、ＤＣＦ規格対応の機器やソフトウェアで記録画像を読み取り可能としている。
【００６６】
また、患者情報など内視鏡独自の情報を記録するため、以下に述べる拡張を行っている。
新たな患者情報が入力されると、患者一覧を記録したＨＴＭＬファイルを生成し、メモリーカードのルートディレクトリに記録する。また、新たな画像を記録すると、患者１名ごとの画像情報、患者情報を記録したＨＴＭＬファイルを生成し、患者毎のディレクトリに生成する。これにより、ＤＣＦ規格で定められている、画像のヘッダに情報を挿入する方法ではデータ量が不足する場合でも、ＨＴＭＬファイルに情報を記録することによりＤＣＦ規格に準拠したままで対応できる。さらに、メモリーカードを他のコンピュータで読み取る場合には、ルートディレクトリのＨＴＭＬファイルをコンピュータのＷｅｂブラウザで読み取ることにより、専用ソフトを使用せずとも画像およびデータを閲覧することが可能である。
【００６７】
以上述べた本実施形態によれば、
内視鏡映像と外部入力映像に対して、フラッシュメモリーまたはメモリーカードに保存されたＨＴＭＬ形式の情報を重畳させることにより、過去の患者情報を容易に閲覧可能である。
【００６８】
また、内視鏡映像と外部入力映像に対して、ネットワーク経由で取得したＨＴＭＬ形式の情報を重畳させることにより、画像ファイル装置とネットワークのみで接続することが可能となり、ビデオ入出力ボードや専用の通信用端子を設ける必要がない。
【００６９】
また、ＨＴＭＬ形式の情報を透過表示させることにより、観察中の映像を妨げることなく情報を閲覧可能である。
また、ＨＴＭＬファイルを変更することにより、種々の画像フォーマットの表示や表示項目の変更に対して容易に対応可能である。
【００７０】
また、Ｊａｖａ（登録商標）アプレットを用いることにより、ＨＴＭＬでは表現不可能なグラフィック表示やネットワーク上の他の機器との通信を実現可能である。
また、フラッシュメモリーまたはメモリーカードに保存された画像および情報をＦＴＰ、ＨＴＴＰ、またはＤＩＣＯＭプロトコルを用いて公開することにより、ネットワークを介して他の機器と画像および情報を容易に交換可能である。
【００７１】
また、メモリーカードにＤＣＦ形式の画像とＨＴＭＬ形式の情報を記録することにより、様々な機器で画像と情報を読み取り可能である。
次に、他の実施形態について以下に述べる。
観察モニターとしてＳＤＴＶとＨＤＴＶを挙げているが、これ以外の映像形式、例えばコンピュータ用ディスプレイで使用されるＸＧＡやＳＸＧＡなどの形式で出力することも、同様の構成で実現可能である。その場合、ＳＤＴＶやＨＤＴＶはインターレース方式、ＸＧＡ／ＳＸＧＡはノンインターレース方式と走査形式が異なるため、ＨＤＴＶ用表示制御回路内に走査変換手段を設ければ良い。走査変換手段については公知の技術であるため説明を省略する。
【００７２】
映像の入出力はアナログ信号となっているが、ＤＶＩ（Ｄｉｇｉｔａｌ  Ｖｉｓｕａｌ  Ｉｎｔｅｒｆａｃｅ）やＳＤＩ（Ｓｅｒｉａｌ  Ｄｉｇｉｔａｌ  Ｉｎｔｅｒｆａｃｅ）等のディジタル信号で入出力することも可能である。その場合は、Ｄ／Ａ変換回路やＡ／Ｄ変換回路に代えてそれぞれのディジタル信号形式で入出力するためのインターフェース回路を設ければ良い。これらの回路についても公知であり説明を省略する。
【００７３】
図６に示す表示制御回路の構成要素は、回路として記載したが、これらはＦＰＧＡなどプログラム可能なハードウェアや、ＣＰＵやＤＳＰなどの演算手段およびその制御ソフトウェアによっても実現可能である。
図７では、映像信号のデータ形式としてＲＧＢ各８ｂｉｔを示したが、輝度−色差であるＹＵＶ形式でも使用可能であるし、ビット数も任意に変更可能である。
【００７４】
図９において、画像の符号化はソフトウェアで実現する様記載したが、図５の表示制御部内に符号化手段を設けることにより、これをハードウェアやＤＳＰなどＣＰＵ以外の手段により処理することも可能である。
図９の記録プロセスについて、生成する画像ファイルの種類については触れていないが、静止画でも動画でも生成可能である。また、ＪＰＥＧ等の圧縮フォーマットか、非圧縮フォーマットを選択することも可能である。
【００７５】
本実施形態では、ハイパーテキストとしてＨＴＭＬを使用しているが、この他の形式、例えばＸＭＬ（ｅＸｔｅｎｓｉｂｌｅ  Ｍａｒｋｕｐ  Ｌａｎｇｕａｇｅ）などを用いることが可能であることも容易に推測可能であろう。
【００７６】
【発明の効果】
以上述べたように、本発明によれば、内視鏡映像とハイパーテキストによる情報を重畳表示することにより、過去の患者情報を容易に閲覧可能であり、かつ拡張性に優れた内視鏡装置を提供することが可能である。
【００７７】
また、内視鏡映像とハイパーテキスト情報を記録することにより、内視鏡装置以外の機器でもこれらの情報を用意に閲覧可能である。
また、内視鏡検査を行いながらでも観察を妨げることなく情報閲覧が可能である。
【００７８】
また、画像ファイル装置のビデオ入出力ボードを不要とすることにより、コストダウンを実現可能である。
また、画面表示をハイパーテキストにより行うことにより、種々の映像フォーマットの出力に容易に対応可能な内視鏡装置を提供することが可能である。
【図面の簡単な説明】
【図１】従来の内視鏡システムを示す図である。
【図２】図１の内視鏡システムの内部構成を示す図である。
【図３】本発明による内視鏡装置の概念図（表示）である。
【図４】本発明による内視鏡装置の概念図（記録）である。
【図５】本発明の第１の実施形態における内視鏡装置のビデオプロセッサ部分の内部構成及び外部機器との接続を表す図である。
【図６】図５における表示制御回路の内部構成図である。
【図７】図５におけるオーバレイ部の動作概念（データ形式）を示す図である。
【図８】図５におけるオーバレイ部の動作概念（演算内容）を示す図である。
【図９】本発明の第１の実施形態におけるソフトウェアの構成及び動作を示す図である。
【図１０】本発明の第１の実施形態における画面表示及びその遷移を示す図である。
【図１１】本発明の第１の実施形態における観察モニタ毎の表示内容を示す図である。
【図１２】本発明の第１の実施形態におけるメモリカードのファイル構造を示す図である。
【符号の説明】
３０      内視鏡撮像手段
３１      映像処理手段
３２      オーバレイ手段
３３      制御手段
３４      ハイパーテキスト取得手段
３５      記憶手段
３６      通信手段
３７      ハイパーテキスト解釈手段
３８      画面展開手段
３９      オーバレイ制御手段
【図１】
2005013409.tif 000003
【図２】
2005013409.tif 000004
【図３】
2005013409.tif 000005
【図４】
2005013409.tif 000006
【図５】
2005013409.tif 000007
【図６】
2005013409.tif 000008
【図７】
2005013409.tif 000009
【図８】
2005013409.tif 000010
【図９】
2005013409.tif 000011
【図１０】
2005013409.tif 000012
【図１１】
2005013409.tif 000013
【図１２】
2005013409.tif 000014